(57)【特許請求の範囲】
【請求項１】
矩形の底部、該底部の四囲を囲う所定の高さの壁面、及び平面上に載置されたとき該底部に隙間が付与される台座部を有するトレイに、芝を植生した多孔質の樹脂マットが収容され、自在に連結して給水することにより緑地が形成される天然芝ユニットにおいて、
前記トレイは、内部底面に、前記樹脂マットを載置する平面領域と、前記台座部と対応する位置に形成され、該平面領域よりも低位な貯水領域とを有するものであり、
該平面領域には、敷設された潅水チューブを固定する少なくとも２つのチューブ保持部、及び前記内部底面の規定水位を越える水を外部に排出する排出口が前記壁面の近傍に形成され、
前記チューブ保持部それぞれは、前記潅水チューブを挟持する弾設部材と、該弾設部材の先端に形成され該潅水チューブを上側から掛止する爪部材とを有し、前記壁面の高さよりも低位の位置に該潅水チューブを固定するものであって、
前記樹脂マットの周囲には前記潅水チューブから潅水された水が流通する所定幅の水路が形成されたことを特徴とする天然芝ユニット。
【請求項２】
前記壁面それぞれは、隣接する前記トレイ相互を繋止する連結部を挿入する、高さ方向に貫通する一対の空洞部と、前記潅水チューブを前記排出口よりも高い位置で通過させる切欠き部とが形成されたことを特徴とする請求項１記載の天然芝ユニット。
【請求項３】
前記トレイを縦方向又は横方向に一列に連結することにより形成されたトレイ列を、横方向又は縦方向にも連結して前記緑地が形成されるものであって、
前記トレイ列を形成する前記トレイそれぞれに敷設される前記潅水チューブ相互を接続する第１コネクタと、該トレイ列それぞれの最初の該トレイに敷設される該潅水チューブそれぞれを水道設備に接続される配管に接続する第２コネクタと、該トレイ列の最終の該トレイに敷設される該潅水チューブの終端に設置され、水を吐出する開閉自在な吐出口を有する終端部と、該水道設備から該配管に給水開始するタイミングと給水停止するタイミングとを自在に設定するタイマーを有し、水圧又は水量を調整する給水調整手段と、を備え、
前記終端部から吐出される水勢により、給水状態を判定することを特徴とする請求項１記載の天然芝ユニット。
【発明の詳細な説明】
【技術分野】
【０００１】
本発明は、ビルの屋上やベランダなどの平面上に連結して載置し、給水することにより、歩行、あるいは横臥可能な芝生緑地となる、土いらずの天然芝ユニットに関するものである。
【背景技術】
【０００２】
今日、都市の建築物が高層化し、緑が不足する傾向にある一方、ヒートアイランドの緩和や大気の浄化といったアメニティの観点からも屋上又はバルコニーに芝や草花を植裁して緑を拡大する動きが活発化している。
しかしながら、屋上に土を持ち込む方法は、重量がかさむため建築物の構造を補強する必要性がある。また、土が風で飛んだり、雨水で流され、建築物が汚れてしまう恐れがある。そこで、土を用いることなく植栽する方法が提案されている。
例えば、合成繊維を主材とした不織繊維構造体の３つの層を有し、中程度の通気性と保水性を有し、芝の種子を植生するのに適した第１の植生層、適度の通気性と保水性を有するが繊維密度が最も大きく通根と根の保護機能を有する第２の保護層、通気性は最も大きいが繊維密度、保水性共に最も低く弾力性を有し、過剰な雨水等の排水に適し保持力が十分な第３の排水層からなる植生不織布マットが提案されている（特許文献１参照）。
また、その植生マットを改良し、保水性に優れた栽培床の上に植物透過立体生育層を積層し、栽培床で種子から生育した芝を植物透過立体生育層を透過させながら生育させ、所定の高さに保護する植物栽培マットであって、ゴルフ練習等で損傷しても、芝苗を載せるだけで生育させることができる芝の生育方法も提案されている（特許文献２参照）。
さらに、人工地盤上での植栽を可能にするには、土や根の流出防止のほか、水分供給の管理などメンテナンス作業が必要となり、ランニングコストの負担が大きいことから、穴のあいた複数の透水繊維を束ねて繊維固定台の孔に挿入し、それを凹型の緑化トレイに設置して、給水管から散水され繊維固定台の下部に貯えた水を、繊維固定台の上に設置された地被植物に供給することにより、根腐れを防止する緑化パネル（特許文献３参照）や、容器本体と、底面に空隙ができるように支持固定する脚部とを有する植裁容器ユニットであって、４容器本体は、側面に形成された作業用凹部と、その凹部相互間に配設された散水ホースと、下面が開口し、スリットを通じて外気と通気するエアレーションタワーとを備え、床面に容器を固定し、強風が吹いても大丈夫な屋上用植栽容器ユニット、及び底面部に凹又は凸を設けて水を貯める凹型箱体に、透水性ユニットがちょうど入るようにし、その透水性ユニットに植栽した地被植物に、吸い上げた水を供給すると共に、透根させることができる緑化パネルが提案されている（特許文献５参照）。
【先行技術文献】
【特許文献】
【０００３】
【特許文献１】特開平４−１４４６１号公報
【特許文献２】特開平１１−７５５３１号公報
【特許文献３】特許第４３２５０９３号公報
【特許文献４】特許第３８４３０９４号公報
【特許文献５】特開２００２−３０５９８０号公報
【発明の概要】
【発明が解決しようとする課題】
【０００４】
今日、土なしで芝苗等を植生するには、多孔質の合成樹脂をトレイやパネルに収納し、その樹脂に芝苗等を載置して行われるのが一般的である。そして、それらのトレイやパネルに給水するには、芝生面に潅水チューブを敷設するか、スプリンクラ―にタイマーをセットして期的に散水するという簡便な方法を用いることが多い。しかしながら、芝刈作業等を行う際は、それらの給水設備を一時的に撤去する必要があり、撤去作業や復旧作業に多大の労力を要している。
それに対して、トレイの側面に切欠部を設けて係止する方法もあるが、チューブの設置位置によっては、チューブが浮きあがり、芝刈作業等に支障になることがある。また、チューブを孔に挿通する方法は、長いチューブを引き通すのに根気が必要な上、万一、目詰まりが生じたときにチューブを孔から引き抜くのが困難で、芝生を一時的に撤去しなければならない。
本発明は、上記事情に鑑み、土なしで芝を植生し、芝刈機による芝の手入れに支障がない位置に潅水チューブが固定され、縦横に連結して水道設備から潅水チューブに定期的に自動的に給水して緑が常に維持される芝ユニットを提供することを目的とする。
【課題を解決するための手段】
【０００５】
本発明の天然芝ユニットは、矩形の底部、該底部の四囲を囲う所定の高さの壁面、及び平面上に載置されたとき該底部に隙間が付与される台座部を有するトレイに、芝を植生した多孔質の樹脂マットが収容され、自在に連結して給水することにより緑地が形成される天然芝ユニットにおいて、前記トレイは、内部底面に、前記樹脂マットを載置する平面領域と、前記台座部と対応する位置に形成され、該平面領域よりも低位な貯水領域とを有するものであり、該平面領域には、敷設された潅水チューブを固定する少なくとも２つのチューブ保持部、及び前記内部底面の規定水位を越える水を外部に排出する排出口が前記壁面の近傍に形成され、前記チューブ保持部それぞれは、前記潅水チューブを挟持する弾設部材と、該弾設部材の先端に形成され該潅水チューブを上側から掛止する爪部材とを有し、前記壁面の高さよりも低位の位置に該潅水チューブを固定するものであって、前記樹脂マットの周囲には前記潅水チューブから潅水された水が流通する所定幅の水路が形成されたことを特徴とする。
このように、底部に台座部を設け、内部底面に貯水領域を設けると共に、載置した多孔質の樹脂マットの周囲に水路を形成し、壁面の近傍に設けた少なくとも２つのチューブ保持部の弾設部材と爪部材で潅水チューブを壁面よりも低位な位置にしっかりと固定して潅水すれば樹脂マットに吸水された水で天然芝が生育し、緑地が形成される。そして、潅水チューブは、生育した天然芝で覆われるので芝刈り機で手入れをする際に支障にならない。
その場合、前記壁面それぞれは、隣接する前記トレイ相互を繋止する連結部を挿入する、高さ方向に貫通する一対の空洞部と、前記潅水チューブを前記排出口よりも高い位置で通過させる切欠き部とが形成されたことを特徴とする請求項１記載の天然芝ユニット。
このように、壁面それぞれに空洞部を設けて連結部の嵌入片を嵌入して繋止すれば、トレイを縦横に連結するのが容易であり、芝刈りに支障がない。また、上記排出口よりも高い位置に、該潅水チューブを通過させる切欠き部が形成されたものであれば、潅水チューブは、壁面よりも低位な位置に強固に固定することができるので、芝刈り機を使用しても支障にならない。
ここで、上記トレイを縦方向又は横方向に一列に連結することにより形成されたトレイ列を、横方向又は縦方向にも連結して上記緑地が形成されるものであって、上記トレイ列を形成する上記トレイそれぞれに敷設される上記潅水チューブ相互を接続する第１コネクタと、該トレイ列それぞれの最初の該トレイに敷設される該潅水チューブそれぞれを水道設備に接続される配管に接続する第２コネクタと、該トレイ列の最終の該トレイに敷設される該潅水チューブの終端に設置され、水を吐出する開閉自在な吐出口を有する終端部と、該水道設備から該配管に給水開始するタイミングと給水停止するタイミングとを自在に設定するタイマーを有し、水圧又は水量を調整する給水調整手段と、を備え、前記終端部から吐出される水勢により、給水状態を判定することにすれば、水道設備から緑地全体に自動的に給水することができ、末端まで水が行き届いているか否かのチェックが容易であり、切り分け等により目詰まり個所の特定もできる。
そして、上記潅水チューブは、一定量の水を滴下させる滴下部が所定の間隔で配置され、上記トレイ列を形成する上記トレイそれぞれに該滴下部が少なくとも１つ配置されるように敷設すれば、全ての天然芝ユニットに同じように潅水できるので、給水調整手段による調整が容易になる。
さらに上記給水調整手段は、上記水道設備から上記配管に給水開始するタイミングと給水停止するタイミングとを自在に設定するタイマーを有することにすれば、季節や気象条件に応じた調整ができる。
また、上記滴下部は、草根の侵入を防ぐ防根手段を有することにすれば、根による目詰まりも防げるのでメンテナンスが容易になる。
【発明の効果】
【０００６】
本発明の天然芝ユニットによれば、ウレタンに植生し、土いらず天然芝を生育することができるので軽量化が可能となり、ビルやデッキ等の平面に設置して緑地を形成することが容易である。また、水道設備から自動給水することや、根詰まり等を防止できる薬剤等を滴下部で用いることにすればメンテナンスが容易になる。
【図面の簡単な説明】
【０００７】
【図１】図１は、本実施形態の天然芝ユニットを構成するトレイの一例を示す図である。
【図２】図２は、本実施形態の天然芝ユニットの主要部の平面を示す図である。
【図３】図３は、本実施形態の天然芝ユニットの主要部の側断面を示す図である。
【図４】図４は、潅水チューブをトレイに固定するチューブ保持部を拡大して示す図である。
【図５】図５は、本実施形態の連結部を示す図である。
【図６】図６は、縦横に連結したトレイ（天然芝ユニット）に水道設備から給水する一例を示す図である。
【図７】図７は、終端部の一例を示す図である。
【図８】図８は、縦横に連結した天然芝ユニットに水道設備から給水し、緑地を形成した状態の一例を示す写真である。
【発明を実施するための形態】
【０００８】
以下に、本発明の天然芝ユニットの実施形態について図に基いて説明する。
図１は、本実施形態の天然芝ユニットを構成するトレイの一例を示す図である。
図１に示すトレイ１は、正方形の底部２と、底部２の周りに形成された所定の高さの壁面３と、底部２の５か所に形成された台座部４とがあり、コンクリートや床面などの平面に載置したとき、その平面と底部２との間に所定の隙間が形成される。
トレイ１の内部底面５には、天然芝を植生する多孔質のウレタン（本発明の「樹脂マット」に相当する。以下同じ。）が載置される平面領域６と、その平面領域６よりも低位な貯水領域７とが形成されている。なお、トレイ１の内部底面５及び壁面３には、補強用のリブ８が形成されているが、図は、リブ８の一部が省略されている。
貯水領域７は台座部４に対応した５か所に形成され、トレイ１に給水された水の一部を貯水することができる。
そして、平面領域６には、滴下部１１aが内蔵され、そこからから少量ずつの水を滴下する潅水チューブ１１が敷設され、その潅水チューブ１１をトレイ１にしっかりと固定する２つのチューブ保持部１２が壁面３近傍に設けられ、また、内部底面５に貯えられた規定水位を越える水を外部に排水する排出口（図に現われていない）１３が、潅水チューブの下の隅に設けられている。
また、対向する壁面３それぞれには、高さ方向に、結合部材の嵌入片（後述する。）を嵌め込む空洞部９ａが形成され、隣接するトレイ１それぞれの空洞部９ａに嵌入片を差し込むことにより縦横に連結する連結部９が形成される。
本実施形態の連結部９は、各トレイの対向する壁面３それぞれに形成された空洞部９ａ双方に結合部材の一対の嵌入片（図示していない）を嵌入して形成されるが、連結部９は、必ずしもこの構成に限定する必要はなく、例えば対向する一方の壁面３の、排出口１３よりも高い位置に穴を設け、他方の壁面３に、高さがその穴に合致するＬ形部を形成して、そのＬ形部を穴に掛止することによって結合し、連結部９を形成してもよい。また、底部２の５か所に台座部４を設けているが、台座部４は、必ずしも5か所設ける必要はない。
【０００９】
図２及び図３は、本実施形態の天然芝ユニットの主要部を示す図であり、図２は平面を示す図、図３は、側面（図の左右両側は断面）を示す図である。
なお、ここで示す天然芝ユニット１０は、説明の都合上、図を簡略化するために植生された天然芝は省略してある。
図２に示すように、トレイ１の対向する壁面３それぞれには、隣接するトレイ１相互を連結する連結部９が形成され、一つの壁面３の近傍には、潅水チューブ１１をしっかりと固定するチューブ保持部１２を設け、隅には、内部底面５の水を外部に排水する排出口１３がある。
本実施形態のトレイ１は正方形をなし、一辺が５００ｍｍ、壁面の高さＨが４５ｍｍ乃至５０ｍｍに設定されている。
そして、内部底面５には、平面領域６と、平面領域６よりも低位の貯水領域７とがあり、それら平面領域６及び貯水領域７に多孔質のウレタン１５が載置されている。
ウレタン１５の大きさは、ここでは、高さｈ１が３５ｍｍ程度、潅水チューブ１１が固定される側の辺の長さが４８０ｍｍ程度、それと直交方向の辺の長さが４６０ｍｍ乃至４７０ｍｍ程度に設定されている。
したがって、潅水チューブ１１から潅水された水を流通させる１０ｍｍ程度の幅の水路１６がウレタン１５の周囲に形成され、特に、潅水チューブ１１が敷設される側には２０ｍｍ乃至３０ｍｍ幅の水路１６が形成される。
なお、ここで示した数値は、一例であって、必ずしもこれらの数値に限定する必要はない。また、トレイ１は、必ずしも正方形である必要はない。
【００１０】
図３に示すように、トレイ１の底部２には、台座部４が形成されており、コンクリートや床面等の平面上にトレイ１を載置すると、底部２都の間に隙間ができるようになっている。従って、排出口１３から排水された水を排水路に円滑に誘導することができる。
トレイの内部底面５に載置したウレタン１５は、高さｈ１が３５ｍｍで、４５ｍｍ乃至５０ｍｍのトレイの高さＨよりも天面が低くなっている。
また、潅水チューブ１１をトレイ１に固定するチューブ保持部１２は、壁面３の近傍に設けてあり、固定した潅水チューブ１１が壁面３よりも低位で、ウレタン１５に植生した天然芝が育ったときには、天然芝で覆われる高さに設定されている。
そして、排出口１３は、トレイ１内に貯えられた水が適度に循環する一方、常にウレタン１５から天然芝の地下茎に水が及ぶように、高さｈ２が１５ｍｍ乃至２０ｍｍに設定されている。
また、連結部９のうちの空洞部９ａが壁面３に形成されている。
空洞部９ａは、壁面３よりも内側に張り出した面と、壁面の外面（一部）との間に形成された空間で、他のトレイ１に形成された突出部９ｂがその空間に嵌入することによって結合される。
従って、天然芝ユニット１０は、トレイの内部底面５に載置された多孔質のウレタン１５の内部に地下茎が入り込み、ウレタン１５に保水された水分を吸水してランナーが四方八方に拡がり、ウレタン１５周囲の水路１６はもとより、隣接するトレイ１にまで及ぶので、時が経つと、壁面３はもとより潅水チューブ１１なども視認できなくなるほど、天然芝で覆われる。
【００１１】
図４は、潅水チューブをトレイに固定するチューブ保持部を拡大して示す図である。
図4に示すように、トレイ１の壁面３には連結部９が形成され、内部底面５には、壁面３近傍にチューブ保持部１２が形成され、隅には排出部１３が形成されている。
チューブ保持部１２は、潅水チューブ１１を挟持する弾設部材１２ａと、その弾設部材１２ａの先端に形成され、潅水チューブ１１を掛止する爪部材１２ｂとを有する。
従って、弾設部材１２ａに潅水チューブ１１を押し当て、指で押すと、弾設部材１２ａの弾力性によって爪部材１２ｂが開き、潅水チューブ１１が爪部材１２ｂよりも下側に入る。そして、弾設部材１２ａの弾力性で爪部材１２ｂが復元するので潅水チューブ１１は爪部材１２ｂに掛止されて固定される。
なお、チューブ保持部１２は、固定された潅水チューブ１１が、ウレタン１５の天面と面一、あるいは壁面３の高さよりも低位となる位置で掛止されるように、爪部材１２ｂの高さや大きさが設定される。
このように設定されていれば、天然芝ユニット１０を芝刈り機で手入れする際に潅水チューブ１１が支障になることがない。
【００１２】
図５は、本実施形態の連結部を示す図である。
図５に示すように、トレイ１の四囲の壁面３それぞれには、一対の高さ方向に形成された空洞部９ａが設けてある。そして、一対の嵌入片９ｂを有する結合部材９ｃがトレイの付属品として備えられている。
従って、トレイ１を縦横に連結するときは、隣接するトレイの空洞部９ａそれぞれに、結合部材９ｃの嵌入片９ｂそれぞれを差し込んで連結部９が形成される。
空洞部９ａを形成する四面それぞれは、トレイの壁面３と一体成形されて繋がっているので、嵌入片９ｂを空洞部９にぴったり嵌るサイズにしておけば、結合部材９ｃを嵌め込むことによってトレイ１それぞれを縦横に強固に連結することができる。
【００１３】
図６は、縦横に連結したトレイ（天然芝ユニット）に水道設備から給水する一例を示す図である。
図６に示すように、トレイ１を図の横方向に一列に連結したトレイ列２０が３列、縦方向にも連結して天然芝ユニット（ここでは、トレイのみ示す）１０による緑地が形成される。
トレイ列２０に敷設された、それぞれの潅水チューブ１１は、数か所、第１コネクタ２１で直線状に接続することにより、それぞれ独立した潅水チューブ１１となり、その終端には、水圧をチェックするための終端部１８が設けてある。そして、潅水チューブ１１には、５０ｃｍごとに一定量の水を滴下させる滴下部１１a設けてあるので、本実施形態で使用される一辺が５０ｃｍの正方形のトレイ１それぞれに滴下部１１ａが配置されている。
滴下部１１ａは、潅水チューブ１１内に、５０ｃｍ間隔で埋め込まれており、圧力コントローラ、フィルター、防根手段を有し、１時間に１．５リットル乃至２．５リットル範囲の一定量の水を潅水チューブ１１の吐出孔からトレイ１内に滴下することができる。
また、地下茎などが滴下部11aに侵入するのを防ぐ機能を有するほか、ゴミ等による目詰まり防止機能も持たせることができる。
また、３つのトレイ列２０それぞれの潅水チューブ１１の始端それぞれに三つ股あるいはＬ形の第２コネクタ２２で配管に接続されている。なお、第１コネクタ２１及び第２コネクタ２２に潅水チューブ１１あるいは配管２５が差し込まれる部分には、差し込み方向にはテーパがあるが、引き抜き方向には、爪があるので差し込むのは容易であるが、外れ難くなっている。
配管２５は、給水する水圧又は水量を調整する給水調整手段２６を介して水道設備に接続されている。
給水調整手段２６は、潅水チューブ１１の口径及び長さ、各トレイ列２０に設置される滴下部１１aの数及び滴下水量、水道設備の水圧等に基づいて、終端部１８における水圧設定値に応じて、配管２５に給水する水圧及び水量を調整し、全てのトレイ１に万遍なく水が行き渡るようにすることができる。
また、給水調整手段２６が、タイマーを内蔵していれば、水道設備から配管２５に給水を開始する時間と給水を停止する時間とを設定し、季節や気象環境に応じて給水制限を行うこともできる。
【００１４】
図７は、終端部の一例を示す図であり、上段は、平面を示す図であり、下段は、Ａ―Ａ‘の断面を示す図である
図７に示す終端部１８は、潅水チューブ１１にパイプ１９を挿入し、パイプ１９のつまみ１９ａを回すことにより、パイプの孔１９ｂの位置を回転させることができる。
したがって、潅水チューブ１１で、全ての天然芝ユニット列２０に給水するときは、パイプの孔１９ｂの位置を、（ａ）に示すように潅水チューブ１１に設けた吐出口１１ｂと不一致の状態にしておく。
そして、天然芝ユニット列２０の末端まで水が来ているか否かをチェックするときは、（ｂ）に示すように、パイプ１９のつまみ１９ａを回して、パイプの孔１９ｂの位置が潅水チューブ１１に設けた吐出口１１ｂと合致させる。そして、勢いよく水が吐出されれば水圧がかかっているので給水状態は良好である。しかし、水がちょろちょろしか出ないか、あるいは全くでないときは、どこかに不具合があると判断できる。他の終端部１８も点検し、良好であれば、特定のトレイ列に不具合があると判定し、第１コネクタを外して区間を切り分けたり、滴下部１１ａを点検する。
他の終端部１８も不具合であれば、配管２５、第２コネクタや給水調整手段２６の、点検を行い、原因個所を特定する。
ここで、本実施形態の終端部１８は、トレイ１内の水路１６に配置されているが、終端部１８は、トレイ１の外に出し、水圧チェックがしやすいようにしてもよい。
【００１５】
図８は、縦横に連結した天然芝ユニットに水道設備から給水し、緑地を形成した状態の一例を示す写真である。
図８に示すように、ベランダのデッキ上には縦横に連結された天然芝ユニット１０によって緑地が形成されている。
横方向に一列に連結された天然芝ユニット１０の列が６列あり、それら６列それぞれに敷設された潅水チューブ１１の始端は、第２コネクタ２２で、配管２５に接続され、水道設備から給水調整手段を介して給水される。
【産業上の利用可能性】
【００１６】
ビルの屋上等の緑地化に使用すれば、ビル内温度上昇の抑止に役立つうえ、憩いの場を提供することができる。
【符号の説明】
【００１７】
１    トレイ
２    底部
３    壁面
４    台座部
５    内部底面
６    平面領域
７    貯水領域
８    リブ
９    連結部
９a  空洞部
９b  嵌入片
９ｃ  結合部材
１０    天然芝ユニット
１１    潅水チューブ
１１a   滴下部  
１１ｂ  吐出口
１２    チューブ保持部
１２a   弾設部材
１２ｂ  爪部材
１３    排出口
１５    ウレタン  
１６    水路
１８    終端部
１９    パイプ
１９ａ  つまみ
１９ｂ  孔
２０    トレイ列
２１    第１コネクタ  
２２    第２コネクタ
２５    配管
１６    給水調整手段
【要約】
【課題】土なしで芝を植生し、芝刈機による芝の手入れに支障がない位置に潅水チューブが固定され、縦横に連結して水道設備から潅水チューブに定期的に自動的に給水して緑が常に維持される芝ユニットを提供する。
【解決手段】トレイは、内部底面に、樹脂マットを載置する平面領域と台座部と対応する位置に形成され、平面領域よりも低位な貯水領域とを有するものであり、平面領域には、敷設された潅水チューブを固定する少なくとも２つのチューブ保持部、及び排出口が壁面の近傍に形成され、樹脂製マットは、壁面との間に潅水チューブから潅水された水が流通する水路が形成される大きさを有する。
【選択図】図１【図１】
0006698988.tif 000002
【図２】
0006698988.tif 000003
【図３】
0006698988.tif 000004
【図４】
0006698988.tif 000005
【図５】
0006698988.tif 000006
【図６】
0006698988.tif 000007
【図７】
0006698988.tif 000008
【図８】
0006698988.tif 000009